(57)【要約】  【課題】  首に掛けたときの装用感を良好に維持しつつ、臨場感に優れる音響再生を行うことができるスピーカ装置を提供する。  【解決手段】  Ｕ字状に湾曲する支持体１０と、支持体１０の両側にそれぞれ設けられたハウジング２０，２０と、ハウジング２０，２０に取り付けられたスピーカユニット３０，３０とを備えるスピーカ装置であって、支持体１０は、中空状に形成されて、少なくとも一部にドロンコーン１３が設けられており、ドロンコーン１３は、弾性材料からなる保持部材１４と、保持部材１４に保持された振動部材１５とを備え、内部を介して両側のハウジング２０，２０同士を連通するように、全体として筒状に構成されている。【選択図】  図１
2019075708.tif 000002
【特許請求の範囲】
【請求項１】
Ｕ字状に湾曲する支持体と、前記支持体の両側にそれぞれ設けられたハウジングと、前記ハウジングに取り付けられたスピーカユニットとを備えるスピーカ装置であって、
前記支持体は、中空状に形成されて、少なくとも一部にドロンコーンが設けられており、
前記ドロンコーンは、弾性材料からなる保持部材と、前記保持部材に保持された振動部材とを備え、内部を介して両側の前記ハウジング同士を連通するように、全体として筒状に構成されているスピーカ装置。
【請求項２】
前記振動部材は、筒状の長手方向に間隔をあけて複数配置されている請求項１に記載のスピーカ装置。
【請求項３】
前記振動部材は、筒状の周方向に間隔をあけて複数配置されている請求項１または２に記載のスピーカ装置。
【請求項４】
前記保持部材は、可撓性の管体からなり、
前記振動部材は、前記保持部材の外周面に設けられている請求項１から３のいずれかに記載のスピーカ装置。
【発明の詳細な説明】
【技術分野】
【０００１】
本発明は、スピーカ装置に関し、より詳しくは、使用者が首に掛けて使用することができるスピーカ装置に関する。
【背景技術】
【０００２】
音響再生装置で再生された音声や音楽を聞くための装置として、ヘッドホンやイヤホンが従来から広く用いられている。ヘッドホンやイヤホンは、携帯型プレーヤーと共に持ち運びが容易なため、移動時や外出時等にも使用することができるが、両耳に装着すると外部の音がほとんど遮断されてしまうため、歩行中や自転車走行中などに事故の危険性が高まるおそれがある。
【０００３】
このため、耳には直接装着せずに、使用者が首に掛けた状態で両耳の近傍にスピーカが配置される首掛け用のスピーカが知られている。例えば、特許文献１には、スピーカを備えるケースを首掛け部の両側に取り付けて、ケースの放音口からの音響で形成される音像を、使用者の前面側に定位させるように構成されたネックスピーカ装置が開示されている。ケースの側面にはバスレフ孔が形成されており、低音再生の向上が図られている。
【０００４】
上記特許文献１に開示された装置は、ケースからの低音再生がヘルムホルツ共鳴を利用して行われる。ヘルムホルツの共振周波数は、ケースの内容積や、バスレフ孔の形状・大きさ等に基づき求めることができるが、良好な低音再生を行うためにはケースの大きさが過大になるため、実用性の面で問題があった。  更に、音の再生が専ら２つのケースから行われて音像定位されるため、音の立体感に乏しく、自然な臨場感やサラウンド感が得られ難いという問題もあった。
【０００５】
また、特許文献２には、左右のスピーカが可撓性のダクトにより連結され、ダクトの中央部にドロンコーン（パッシブラジエータ）が設けられたウエアラブルスピーカ装置が開示されている。
【０００６】
ところが、特許文献２に開示されたウエアラブルスピーカ装置のドロンコーンは、平面的形状の振動板をその周囲に設けられたエッジで支持する一般的な構成であり、良好な低音再生を得るためには、振動板が大きくなるため、これを収容するハウジングも大型化する必要がある。このため、ウエアラブルスピーカ装置を首に掛けるとハウジングのエッジ等が首の後頚部等に当たって装用感が悪くなるため、首掛け用に適するものではない。
【先行技術文献】
【特許文献】
【０００７】
【特許文献１】特開平６−１７８３８４号公報
【特許文献２】米国特許出願公開第２０１４／０１２６７６０（図１）
【発明の概要】
【発明が解決しようとする課題】
【０００８】
そこで、本発明は、首に掛けたときの装用感を良好に維持しつつ、臨場感に優れる音響再生を行うことができるスピーカ装置の提供を目的とする。
【課題を解決するための手段】
【０００９】
本発明の前記目的は、Ｕ字状に湾曲する支持体と、前記支持体の両側にそれぞれ設けられたハウジングと、前記ハウジングに取り付けられたスピーカユニットとを備えるスピーカ装置であって、前記支持体は、中空状に形成されて、少なくとも一部にドロンコーンが設けられており、前記ドロンコーンは、弾性材料からなる保持部材と、前記保持部材に保持された振動部材とを備え、内部を介して両側の前記ハウジング同士を連通するように、全体として筒状に構成されているスピーカ装置により達成される。
【００１０】
このスピーカ装置において、前記振動部材は、筒状の長手方向に間隔をあけて複数配置されていることが好ましい。あるいは、前記振動部材は、筒状の周方向に間隔をあけて複数配置されていることが好ましい。
【００１１】
前記保持部材は、可撓性の管体から構成することができ、前記振動部材は、前記保持部材の外周面に設けることができる。
【発明の効果】
【００１２】
本発明によれば、首に掛けたときの装用感を良好に維持しつつ、臨場感に優れる音響再生を行うことができるスピーカ装置を提供することができる。
【図面の簡単な説明】
【００１３】
【図１】本発明の一実施形態に係るスピーカ装置の正面図である。
【図２】図１に示すスピーカ装置の縦断面図である。
【図３】図１のＡ−Ａ断面図である。
【図４】本発明の他の実施形態に係るスピーカ装置の要部を示す正面図である。
【図５】図４のＢ−Ｂ断面図である。
【図６】本発明の更に他の実施形態に係るスピーカ装置の要部を示す正面図である。
【図７】本発明の更に他の実施形態に係るスピーカ装置の要部を示す正面図である。
【図８】本発明の更に他の実施形態に係るスピーカ装置の要部を示す断面図である。
【図９】本発明の更に他の実施形態に係るスピーカ装置の要部を示す断面図である。
【図１０】本発明の更に他の実施形態に係るスピーカ装置の要部を示す断面図である。
【発明を実施するための形態】
【００１４】
以下、本発明の実施の形態について、添付図面を参照して説明する。図１は、本発明の一実施形態に係るスピーカ装置の正面図であり、図２は、図１に示すスピーカ装置の縦断面図である。図１および図２に示すように、スピーカ装置１は、支持体１０と、支持体１０の両側にそれぞれ設けられた密閉可能なハウジング２０，２０と、ハウジング２０，２０に取り付けられたスピーカユニット３０，３０とを備えている。
【００１５】
支持体１０は、中空状に形成されて両側をＵ字状に湾曲させた形状を有しており、一対の連結筒１１，１１と、これら連結筒１１，１１の間に配置されたドロンコーン１３とを備えている。各連結筒１１は、例えば合成樹脂等から形成することができ、一端側がハウジング２０の内部と連通するように連結され、他端側に先細の装着部１２が設けられている。支持体１０は、使用者の首に掛けたときに安定する形状であることが好ましいが、実際の使用時には必ずしも首に掛ける必要はなく、例えば、襟にピン、ボタン、フック等で留めて使用することもできる。支持体１０は、表面が滑らかに形成されていることが好ましい。
【００１６】
ドロンコーン１３は、保持部材１４と、保持部材１４に保持された振動部材１５とを備え、保持部材１４および振動部材１５によって振動系が構成されている。保持部材１４は、ゴムや樹脂等の弾性材料により形成されて円弧状に湾曲する可撓性の管体であり、両端が各装着部１２に装着されている。保持部材１４は、予め湾曲状に形成されていてもよく、あるいは、使用時に弾性変形して湾曲するものであってもよい。
【００１７】
図３は、図１のＡ−Ａ断面図である。図３に示すように、振動部材１５は、高密度の金属材料等からなる中空円板状の部材であり、振動部材１５の中空部に保持部材１４が挿通されている。振動部材１５は、保持部材１４の長手方向に間隔をあけて複数配置されており、それぞれ保持部材１４の軸線に対して直交するように、保持部材１４の外周面に固定されている。振動部材１５の大きさは特に限定されるものではないが、例えば、直径２ｃｍ以内である。
【００１８】
このように、ドロンコーン１３は、全体として筒状に形成されており、両側のハウジング２０，２０は、一対の連結筒１１，１１およびドロンコーン１３の内部を介して、互いに連通されている。
【００１９】
スピーカユニット３０は、有線または無線で入力されたオーディオ信号に基づき振動板を振動させて音響を発生させる公知の構成であり、ハウジング２０の前面側に取り付けられて、ハウジング２０の前方および内部のそれぞれに、互いに逆位相の音波を出力する。
【００２０】
上記の構成を備えるスピーカ装置１は、使用者が支持体１０を首に掛けると、スピーカユニット３０，３０が前方斜め上方を向いた状態で、ハウジング２０，２０が使用者の鎖骨付近に配置され、スピーカユニット３０，３０を駆動してオーディオ信号を入力すると、スピーカユニット３０，３０の前面からステレオ方式の音響が出力される。
【００２１】
スピーカユニット３０，３０の背面から出力される音響は、一対の連結筒１１，１１の内部を介して、筒状のドロンコーン１３の内部に伝達される。ドロンコーン１３は、この音響に共振周波数の周波数成分が含まれていると共振し、固有の共振周波数の音波を外部に出力する。こうして、使用者の後頭部付近に、ドロンコーン１３の共振周波数に応じた低音が出力される。
【００２２】
ドロンコーン１３の共振周波数は、振動系の等価質量の逆数に比例し、更に、振動系のスティフネスに比例する。したがって、共振周波数を低くするためには、例えば、一定の設置面積内において振動部材１５の合計質量を大きくする必要がある。本実施形態においては、筒状のドロンコーン１３の長手方向に間隔をあけて複数の振動部材１５が配置されているので、両側のハウジング２０，２０間を連通する支持体１０の連通路を利用して、連通路断面の直径を大きくすることなく長手方向に必要な数の振動部材１５を容易に配置することができ、所望の低音を得ることができる。
【００２３】
本実施形態のスピーカ装置１によれば、従来の首掛け用スピーカと同様に、スピーカユニット３０，３０の前面から出力される音響によって、使用者の両耳近傍から前方側に音像定位されると共に、ドロンコーン１３から出力される低音が、使用者の頭の後方から出力されて、スピーカユニット３０，３０の前面側への音響出力を補うことができる。したがって、簡易で省電力な構成にも拘わらず、臨場感に優れる音響再生を行うことができ、例えば、映画鑑賞や音楽鑑賞等に好適に使用することができる。
【００２４】
また、ドロンコーン１３は、弾性材料からなる保持部材１４と、保持部材１４に保持された振動部材１５とを備え、内部を介して両側のハウジング２０，２０同士を連通するように全体として筒状に構成されているので、首掛け時にドロンコーン１３が邪魔にならないコンパクトな構成にしつつ、任意の低音共振周波数を容易に得ることができる。更に、支持部材１０は、従来の構成のようにハウジングのエッジ等がない滑らかな表面を保つことができるので、装用感を良好にすることができる。また、ウーハーのようなアクティブ素子が不要であるため、低コスト化を図ることができる。
【００２５】
また、従来の首掛け用スピーカと同様に、スピーカユニット３０，３０が使用者の前方に配置されることで、スピーカ装置１の重心位置も使用者の前方に位置するため、安定した使用感が得られると共に、両耳を塞がないために歩行時や自転車走行時にも安全に使用することができる。
【００２６】
以上、本発明の一実施形態について詳述したが、本発明の具体的な態様は上記実施形態に限定されない。例えば、本実施形態においては、筒状に構成されたドロンコーン１３の長手方向に沿って、複数の振動部材１５を配置しているが、図４および図５に示すように、可撓性の管体からなる保持部材１４の外周面に、線材からなる振動部材１５を保持部材１４の長手方向に延びるように配置し、この振動部材１５を保持部材１４の周方向に間隔をあけて複数配置することにより、ドロンコーン１３を構成することもできる。なお、図５は、図４のＢ−Ｂ断面図である。
【００２７】
図４および図５に示すドロンコーン１３は、容易に湾曲させることができると共に、筒状に構成されたドロンコーン１３の周方向に沿って所望の数を配置することができるため、図１に示すドロンコーン１３と同様に、コンパクトな構成としつつ、所望の低音を容易に得ることができる。
【００２８】
また、図６に示すように、可撓性の管体からなる保持部材１４に対して、小片状の複数の振動部材１５を保持部材１４の長手方向および周方向の双方に沿うように配置して、各振動部材１５が長手方向および周方向にそれぞれ独立して自由に振動できるようにドロンコーン１３を構成してもよい。
【００２９】
また、上記各実施形態の保持部材１４は、可撓性の管体によって構成することでドロンコーン１３の製造および振動部材１５の保持を容易にしているが、振動部材１５を確実に保持可能であれば、必ずしも管体である必要はない。例えば、図７に示すように、中空円板状に形成された複数の振動部材１５のそれぞれを、振動部材１５よりも小径である筒状の複数の保持部材１４により連結することで、ドロンコーン１３を全体として蛇腹筒状に構成してもよい。あるいは、図８に断面図で示すように、線材からなる複数の振動部材１５を円周上に間隔をあけて配置し、それぞれを帯状の複数の保持部材１４により互いに連結することで、ドロンコーン１３を全体として筒状となるように構成してもよい。
【００３０】
図７および図８に示すドロンコーン１３の構成によれば、各振動部材１５の振動時の制約が少なくなるため、大きな振動を得ることができる。また、振動系のスティフネスも小さくなるため、各振動部材１５の質量を小さく、あるいは、ドロンコーン１３の面積を小さくすることができ、軽量化・小型化を図ることができる。
【００３１】
ドロンコーン１３の位置は、本実施形態においては支持体１０の中央部として、首掛け時に使用者の後頚部のあたりに配置される構成としているが、必ずしも中央部である必要はなく、支持体１０の左右にずれた位置に配置することも可能である。また、ドロンコーン１３は、支持体１０の一部に設ける代わりに、支持体１０の全体がドロンコーン１３であってもよい。
【００３２】
ドロンコーン１３は、必ずしも単一である必要はなく、長手方向に沿って複数を連結してもよい。この場合、各ドロンコーン１３の固有の共振周波数を互いに相違するものとしてもよく、これによって、支持体１０から出力される音響の低音帯域を拡げて、臨場感をより高めることができる。
【００３３】
ドロンコーン１３における振動部材１５の配置は、ドロンコーン１３が全体として筒状に構成されていれば、上記各実施形態に限定されるものではなく、複数を任意の配置にすることが可能である。更に、可撓性の管体からなる保持部材１４の外周面に振動部材１５を螺旋状に巻回する等、振動部材１５は、必ずしも複数である必要はなく、単一であってもよい。
【００３４】
また、図９に示すように、ドロンコーン１３を覆う筒状のカバー１６を設けることも可能である。この構成によれば、ドロンコーン１３が使用者の首などに直接触れないため、ドロンコーン１３の保護が図れると共に、装用感をより向上させることができる。カバー１６は、ドロンコーン１３で発生した低音が使用者に効果的に伝達されるように、肉厚を薄くすることが好ましく、あるいは、一または複数の放音口を形成してもよい。
【００３５】
また、上記各実施形態のドロンコーン１３は、振動部材１５が外部に露出するように構成されているが、管体からなる保持部材１４の内部に振動部材１５を設けた構成であってもよく、例えば、複数の振動部材１５を、それぞれの間にスペーサ等を介して配置することが可能である。
【００３６】
上記各実施形態において、振動部材１５の断面形状は特に限定されるものではなく、円形状以外に、矩形状等であってもよい。
【００３７】
また、図１０に示すように、管体からなる保持部材１４の肉厚部分に、振動部材１５を周方向に沿って間隔をあけて複数埋設することで、ドロンコーン１３を構成することもできる。
【００３８】
上記各実施形態のスピーカ装置１は、首掛け用として使用できる他、据置用のスピーカ装置として使用することもできる。
【符号の説明】
【００３９】
１  スピーカ装置
１０  支持体
１３  ドロンコーン
１４  保持部材
１５  振動部材
１６  カバー
２０  ハウジング
３０  スピーカユニット
【図１】
2019075708.tif 000003
【図２】
2019075708.tif 000004
【図３】
2019075708.tif 000005
【図４】
2019075708.tif 000006
【図５】
2019075708.tif 000007
【図６】
2019075708.tif 000008
【図７】
2019075708.tif 000009
【図８】
2019075708.tif 000010
【図９】
2019075708.tif 000011
【図１０】
2019075708.tif 000012